(57)【要約】【課題】需要予測や需要調整などの機能を複数のシステムへ分散配置した場合においても、複数のシステム間の通信ネットワークを流れる情報量を抑える。【解決手段】エネルギー需要管理装置は、複数の需要システムによるエネルギーの総需要量の目標値である目標総需要量と、複数の需要システムの夫々の計画情報とを、複数の時刻の夫々に対して記憶する記憶部と、複数の時刻の夫々に対し、複数の需要システムの計画情報に基づいて、複数の需要システムによるエネルギーの総需要量を算出し、複数の時刻の夫々の総需要量が目標総需要量を上回るか否かを判定し、複数の時刻の中の少なくとも一つの総需要量が目標総需要量を上回ると判定された場合、複数の需要システムの一つを対象需要システムとして選択し、対象需要システムの需要量を調整することを依頼する依頼情報を対象需要システムへ送信する制御部と、を備える。【選択図】図１
2015203879.tif 000002
【特許請求の範囲】
【請求項１】
夫々がエネルギーの需要の計画を示す計画情報を作成し前記計画情報に従ってエネルギーを需要する複数の需要システムに対し、前記複数の需要システムによるエネルギーの総需要量の目標値である目標総需要量と、前記複数の需要システムの夫々の計画情報とを、複数の時刻の夫々に対して記憶する記憶部と、
前記複数の時刻の夫々に対し、前記複数の需要システムの計画情報に基づいて、前記複数の需要システムによるエネルギーの総需要量を算出し、前記複数の時刻の夫々の総需要量が前記目標総需要量を上回るか否かを判定し、前記複数の時刻の中の少なくとも一つの総需要量が前記目標総需要量を上回ると判定された場合、前記複数の需要システムの一つを対象需要システムとして選択し、前記対象需要システムの需要量を調整することを依頼する依頼情報を前記対象需要システムへ送信する制御部と、
を備えるエネルギー需要管理装置。
【請求項２】
前記制御部は、前記複数の需要システムの夫々から、前記計画情報を受信して前記記憶部へ保存し、
前記依頼情報に応じて、前記対象需要システムにより前記対象需要システムの計画情報が変更され、
前記制御部は、前記変更された計画情報を前記対象需要システムから受信する、
請求項１に記載のエネルギー需要管理装置。
【請求項３】
前記記憶部は、前記複数の需要システムの夫々の優先度を記憶し、
前記制御部は、前記複数の需要システムの中から、前記優先度に基づいて前記対象需要システムを選択する、
請求項２に記載のエネルギー需要管理装置。
【請求項４】
前記制御部は、前記複数の時刻の中から前記総需要量が前記目標総需要量を上回ると判定された時刻である超過時刻と、前記複数の時刻の中で前記超過時刻以外の時刻である非超過時刻とを選択し、前記非超過時刻における前記対象需要システムの需要量の上限である非超過時刻上限量を算出し、
前記依頼情報は、前記非超過時刻上限量を含み、前記対象需要システムに対し、前記非超過時刻における前記対象システムの需要量が前記非超過時刻上限量以下になることを条件として、前記超過時刻における前記対象システムの需要量の一部が前記非超過時刻における前記対象需要システムの需要量へ移動させることを依頼する、
請求項３に記載のエネルギー需要管理装置。
【請求項５】
前記制御部は、前記複数のエネルギー需要システムの中から、未だ調整を行っていない需要システムで優先度が最も低い需要システムを前記対象需要システムとして選択する、
請求項４に記載のエネルギー需要管理装置。
【請求項６】
前記制御部は、前記複数の時刻の夫々に対し、前記変更された計画情報に基づく総需要量である第二総需要量を算出し、前記非超過時刻の第二総需要量が前記目標総需要量を上回るか否かを判定し、前記非超過時刻の第二総需要量が前記目標総需要量以下であると判定された場合、前記超過時刻の第二総需要量が前記目標総需要量を上回るか否かを判定し、前記超過時刻の第二総需要量が前記目標総需要量を上回ると判定された場合、未だ調整を行っていない需要システムで優先度が最も低い需要システムを前記対象需要システムとして選択し、依頼情報を前記対象需要システムへ送信する、
請求項５に記載のエネルギー需要管理装置。
【請求項７】
前記制御部は、前記非超過時刻の第二総需要量が前記目標総需要量を上回ると判定された場合、前記対象需要システムより優先度が低く且つ前記非超過時刻の第二総需要量が前記目標総需要量を上回る原因となった需要システムを、前記対象需要システムとして選択し、依頼情報を前記対象需要システムへ送信する、
請求項６に記載のエネルギー需要管理装置。
【請求項８】
前記複数の需要システムの少なくとも一つは、前記複数の需要システムへエネルギーを供給する供給設備を含む特定システムであり、
前記制御部は、前記複数の時刻の夫々の総需要量を示す総需要量情報を、前記特定システムへ送信し、
前記総需要量情報に応じて、前記特定システムにより前記特定システムの計画情報が作成され、
前記制御部は、前記特定システムの計画情報を受信する、
請求項１乃至７の何れか一項に記載のエネルギー需要管理装置。
【請求項９】
エネルギーを需要する複数の需要システムの夫々によるエネルギーの需要量の計画を示す計画情報を、複数の時刻の夫々に対して作成して送信する運転計画管理装置と、
前記複数の需要システムによるエネルギーの総需要量の目標値である目標総需要量を複数の時刻の夫々に対して記憶し、前記複数の時刻の夫々に対し、前記複数の需要システムの計画情報に基づいて、前記複数の需要システムによるエネルギーの総需要量を算出し、前記複数の時刻の夫々の総需要量が前記目標総需要量を上回るか否かを判定し、前記複数の時刻の中の少なくとも一つの総需要量が前記目標総需要量を上回ると判定された場合、前記複数の需要システムの一つを対象需要システムとして選択し、前記対象需要システムの需要量を削減することを依頼する依頼情報を、前記対象需要システムに対応する運転計画管理装置へ送信する需要管理装置と、
を備えるエネルギー需要管理システム。
【請求項１０】
複数の施設の夫々の中に、前記複数の需要システムが設けられ、
前記運転計画管理装置は、前記複数の需要システムに、通信ネットワークを介して接続される、
請求項９に記載のエネルギー需要管理システム。
【請求項１１】
複数の施設の夫々の中に、前記複数の需要システムと、前記複数の需要システムに接続された前記運転計画管理装置とが設けられ、
前記需要管理装置は、前記運転計画管理装置に、通信ネットワークを介して接続される、
請求項９に記載のエネルギー需要管理システム。
【請求項１２】
需要管理装置が、夫々がエネルギーの需要の計画を示す計画情報を作成し前記計画情報に従ってエネルギーを需要する複数の需要システムに対し、前記複数の需要システムによるエネルギーの総需要量の目標値である目標総需要量を複数の時刻の夫々に対して記憶し、
運転計画管理装置が、前記複数の需要システムの夫々によるエネルギーの需要量の計画を複数の時刻の夫々に対して示す計画情報を作成して送信し、
前記需要管理装置が、前記複数の時刻の夫々に対し、前記複数の需要システムの計画情報に基づいて、前記複数の需要システムによるエネルギーの総需要量を算出し、前記複数の時刻の夫々の総需要量が前記目標総需要量を上回るか否かを判定し、前記複数の時刻の中の少なくとも一つの総需要量が前記目標総需要量を上回ると判定された場合、前記複数の需要システムの一つを対象需要システムとして選択し、前記対象需要システムの需要量を削減することを依頼する依頼情報を、前記対象需要システムに対応する運転計画管理装置へ送信する、
ことを備えるエネルギー需要管理方法。
【発明の詳細な説明】
【技術分野】
【０００１】
本発明は、エネルギーの需要を管理する技術に関する。
【背景技術】
【０００２】
複数のエネルギー供給設備や、複数のエネルギー需要設備を備えた工場やビルに導入されるエネルギー管理システムでは、電気設備の状態変化に柔軟に対応でき、適切な電気量の調整を行うことを可能とするために、特許文献１に記載の技術が知られている。
【０００３】
特許文献１には、「各電気設備には、電気量調整装置が接続されている。これらの電気量調整装置は、通信ネットワークに接続され、相互に情報の送受信を行う通信機能を有する。」、「電気量調整装置が相互に提示し合う提示量について、それぞれの電気設備の状況に応じて調整することができるので、各電気設備に適切な負担量を決定できる。特に、種々の属性パラメータを共有して、これを加味して調整できるので、現状に適した負担量を決定することができる。」と言う記載がある。
【先行技術文献】
【特許文献】
【０００４】
【特許文献１】特開２０１３−２７２１０号公報
【発明の概要】
【発明が解決しようとする課題】
【０００５】
特許文献１では、各電気量調整装置が適切な判断を下すために、様々な属性パラメータを他電気量調整装置と随時交換する必要があり、大量の情報が通信ネットワークを流れる。そのため、大量な情報を流すことが可能な通信ネットワークが必要になり、導入コストが大きくなるという問題が生じうる。
【課題を解決するための手段】
【０００６】
上記課題を解決するために、本発明の一態様であるエネルギー需要管理装置は、夫々がエネルギーの需要の計画を示す計画情報を作成し前記計画情報に従ってエネルギーを需要する複数の需要システムに対し、前記複数の需要システムによるエネルギーの総需要量の目標値である目標総需要量と、前記複数の需要システムの夫々の計画情報とを、複数の時刻の夫々に対して記憶する記憶部と、前記複数の時刻の夫々に対し、前記複数の需要システムの計画情報に基づいて、前記複数の需要システムによるエネルギーの総需要量を算出し、前記複数の時刻の夫々の総需要量が前記目標総需要量を上回るか否かを判定し、前記複数の時刻の中の少なくとも一つの総需要量が前記目標総需要量を上回ると判定された場合、前記複数の需要システムの一つを対象需要システムとして選択し、前記対象需要システムの需要量を調整することを依頼する依頼情報を前記対象需要システムへ送信する制御部と、を備える。
【発明の効果】
【０００７】
本発明の一態様によれば、需要予測や需要調整などの機能を複数のシステムへ分散配置した場合においても、複数のシステム間の通信ネットワークを流れる情報量を抑えることができる。
【図面の簡単な説明】
【０００８】
【図１】実施例１のエネルギー需給連携システム１００の構成を示す。
【図２】需要管理装置１０１の構成を示す。
【図３】運転計画管理装置１０４の構成を示す。
【図４】需要調整処理の具体例を示すシーケンス図である。
【図５】需要調整処理を示すフローチャートである。
【図６】需要調整処理の具体例における第一の需要調整依頼処理を示す。
【図７】需要調整処理の具体例における第二の需要調整依頼処理を示す。
【図８】需要調整処理の具体例における第三の需要調整依頼処理を示す。
【図９】実施例２のセンタサーバとエネルギー需給連携システムの構成を示す。
【図１０】実施例３のセンタサーバとエネルギー需給連携システムの構成を示す。
【発明を実施するための形態】
【０００９】
以下、本発明の実施例について図面を用いて説明する。
【実施例１】
【００１０】
図１は、実施例１のエネルギー需給連携システム１００の構成を示す。
【００１１】
エネルギー需給連携システム１００は、例えば、エネルギー供給設備やエネルギー需要設備を含む工場や大規模ビルなどの需要家の施設内に設けられている。ここでのエネルギー（資源）は、例えば、電気、熱、ガスである。各種エネルギーは、受変電設備や電力線や熱配管やガス管を通じてエネルギー需給連携システム１００の外部から内部の設備へ提供される。
【００１２】
エネルギー需給連携システム１００は、エネルギー需給連携システム１００内のエネルギー需給状況を管理し、需要調整を指示する需要管理装置１０１と、エネルギー需給連携システム１００内でエネルギーを消費する各種設備へエネルギーを供給するエネルギー供給システム１０２と、エネルギー需給連携システム１００内でエネルギーを消費する各種設備を管理する２つ以上のエネルギー需要システム１０３とを備える。以後、エネルギー供給システム１０２とエネルギー需要システム１０３の夫々をサブシステムと呼ぶことがあり、そのうち、エネルギー供給システム１０２を供給サブシステムと呼ぶことがあり、エネルギー需要システム１０３を需要サブシステムと呼ぶことがある。施設の形態によってはエネルギー供給システム１０２を備えていない場合もある。需要管理装置１０１と、エネルギー供給システム１０２と、エネルギー需要システム１０３とは、施設内の内部通信ネットワーク１２０を介して互いに接続されている。エネルギー需給連携システム１００は、外部システム１０９と通信ネットワーク１２１を介して接続され、エネルギー需給連携システム１００が消費可能なエネルギーの最大値である目標エネルギー量などに関する情報を外部システム１０９より受信する。内部通信ネットワーク１２０は例えば、ＬＡＮ（Local  Area  Network）である。通信ネットワーク１２１は例えば、インターネットである。
【００１３】
需要管理装置１０１は、各サブシステムから需要計画情報を収集し、収集された需要計画情報に基づいて、エネルギー需給連携システム１００全体でのエネルギーの総需要計画情報を算出し管理する。また、需要管理装置１０１は、各需要サブシステムの優先度を記憶し管理する。優先度は、需要家によって予め定められる。優先度は、各需要システムの重要度であっても良い。優先度が高いほど、需要調整されにくくなり、需要が削減されにくくなる。また、需要管理装置１０１は、複数の対象時刻の中から、エネルギー需給連携システム１００内のエネルギーの総需要量が目標エネルギー量を超過する時刻を検知した場合、複数の需要サブシステムから優先度に従って需要調整の対象需要サブシステムを選択し、対象需要サブシステムに対し、需要調整を依頼する。対象時刻は、未来の予め定められた時刻である。目標エネルギー量は、外部システム１０９から受信しても良いし、需要家により入力されても良い。需要計画情報や総需要計画情報は、時刻を表す情報とその時刻から開始される時間帯におけるエネルギーの需要量に関する情報を含む。例えば、一つの時間帯は、開始時刻から所定の時間帯長さの期間である。例えば、一つの時間帯の長さが１時間であり、需要計画情報が、電気エネルギーについて１２時間分の計画を示す場合、「時刻＝１：００、エネルギー量＝１００ｋＷｈ」という組を、１２組含む。目標エネルギー量とは、例えば契約電力などである。
【００１４】
需要管理装置１０１は、サブシステムから需要計画情報のみの情報を収集し、エネルギー需給連携システム１００全体の需要状況を総需要計画情報として管理している。また、需要管理装置１０１は、優先度に従って需要調整を依頼することで、需要調整が必要な需要サブシステムだけに情報を送信する。
【００１５】
これにより、サブシステムを制御する複数の制御装置の夫々が、他の制御装置との間で情報を送受信し、各自の計画作成や需要調整を自律的に判断し実行するシステムに比べ、通信ネットワークに流れる情報量を削減することができる。
【００１６】
エネルギー供給システム１０２は、熱源設備１０７や電源設備１０６等の管理対象設備と、当該管理対象設備に接続され、当該管理対象設備を制御する設備制御装置１０５と、設備制御装置１０５及び需要管理装置１０１に接続され、当該管理対象設備の運転計画を作成する運転計画管理装置１０４を備える。
【００１７】
エネルギー需要システム１０３は、管理対象設備である需要設備１０８と、当該需要設備１０８を制御する設備制御装置１０５と、当該需要設備１０８の運転計画を示す運転計画情報を作成する運転計画管理装置１０４を備える。
【００１８】
エネルギー供給システム１０２内の運転計画管理装置１０４は、需要管理装置１０１から熱エネルギーや電力等の各エネルギーに関して総需要計画情報を取得し、取得した総需要を満たすために熱源設備１０７及び電源設備１０６の運転計画情報を作成する。エネルギー需要システム１０３内の運転計画管理装置１０４は、需要設備１０８の運転計画情報を作成する。例えば、電源設備１０６が空調機である場合、それを管理するエネルギー需要システム１０３は、空調機の温湿度設定値やＯＮ／ＯＦＦ時刻などを示す運転計画情報を作成する。
【００１９】
設備制御装置１０５は、それ自体に接続され制御対象とする設備の運転計画情報を運転計画管理装置１０４から受け取り、受け取った運転計画情報に従って熱源設備、電源設備、需要設備を制御する。
【００２０】
電源設備１０６は例えば、蓄電池や太陽光発電パネルやエンジン発電機等の、電力を蓄積又は供給できる設備である。例えば、電源設備１０６がガスを消費して発電する場合、ガス管に接続される。電源設備１０６からの電力は、電力線を介して需要設備１０８へ送られる。
【００２１】
熱源設備１０７は例えば、冷凍機やボイラやヒートポンプや太陽熱パネルや蓄熱槽などの冷温水で熱エネルギーを蓄積又は供給できる設備である。
【００２２】
需要設備１０８は例えば、居住環境の温湿度を制御する空調機や、工場における生産設備などの熱エネルギーや電力を消費する設備である。例えば、需要設備１０８が電力を消費する場合、電力線に接続される。需要設備１０８がガスを消費する場合、ガス管に接続される。需要設備１０８がガスを消費する場合、ガス管に接続される。需要設備１０８が冷温水等の熱を消費する場合、熱配管に接続される。
【００２３】
外部システム１０９は、エネルギー需給連携システム１００の外部に位置するシステムであり、例えば地域全体のエネルギー管理を行うエネルギー管理システムや、電力会社が需給調整を実施するための需給調整システムなどである。
【００２４】
図２は、需要管理装置１０１の構成を示す。
【００２５】
需要管理装置１０１は、各種情報を保持する記憶装置２０５と、各部を制御する制御部２００と、記憶装置２０５への入出力を行う入出力機能２０１と、他のサブシステムや装置と内部通信ネットワーク１２０を介して通信するための通信機能２０２とを含む。制御部２００は、各サブシステムの需要計画情報を収集する需要計画収集機能２０３と、各システムへ需要計画の調整依頼を実施する需要調整要求機能２０４を含む。需要管理装置１０１は、コンピュータであっても良く、制御部２００は、ＣＰＵ（Central  Processing  Unit）等のマイクロプロセッサであっても良い。
【００２６】
記憶装置２０５は、エネルギー需給連携システム１００が各時刻で利用可能な目標エネルギー量を表す目標エネルギー量情報２０６と、各サブシステムの需要計画情報を表すサブシステム需要計画情報２０８と、各サブシステムの需要計画情報に示されている需要量の合計である総需要量を表す総需要計画情報２０９と、各需要サブシステムの需要調整の優先度を表す優先度情報２０７とを保持する。
【００２７】
目標エネルギー量情報２０６は、時刻を表す情報と、その時刻の目標エネルギー量とを含む。エネルギー需給連携システム１００の設備管理者やエネルギー管理者等の管理者は、入出力機能２０１を介して記憶装置２０５へ目標エネルギー量情報２０６を入力する。また、通信機能２０２が外部システム１０９から目標エネルギー量情報２０６を受信し、記憶装置２０５へ保存する場合もある。この場合、目標エネルギー量は、デマンドレスポンスのための需要の制限を示していても良い。
【００２８】
サブシステム需要計画情報２０８は、サブシステムを一意に特定するための識別子とそのサブシステムの需要計画情報を含む。需要計画収集機能２０３は、通信ネットワーク１０２０及び通信機能２０２を介して各サブシステムより需要計画情報を収集し、各サブシステムを識別するための識別子と紐付けして、サブシステム需要計画情報２０８へ保存する。
【００２９】
総需要計画情報２０９は、エネルギー需給連携システム１００全体でのエネルギーの総需要量を表す。需要計画収集機能２０３は、各サブシステムの需要計画情報を収集し、各時刻でのエネルギーの需要量の合計値を算出することで総需要計画情報２０９を生成し、記憶装置２０５へ保存する。
【００３０】
優先度情報２０７は、需要サブシステムを一意に特定するための識別子とその需要サブシステムの需要調整の優先度を表す情報を含む。設備管理者やエネルギー管理者は入出力機能２０１を介して各需要サブシステムの優先度を記憶装置２０５へ入力する。
【００３１】
図３は、運転計画管理装置１０４の構成を示す。
【００３２】
運転計画管理装置１０４は、制御部２１０と入出力機能２１１と通信機能２１２と記憶装置２１５とを含む。制御部２１０は、運転計画作成機能３０１と需要計画作成機能３０２とを含む。運転計画管理装置１０４は、コンピュータであっても良く、制御部２１０は、ＣＰＵ等のマイクロプロセッサであっても良い。
【００３３】
記憶装置２１５は、需要計画情報３０３を保持する。需要計画情報３０３は、需要管理装置１０１に関する説明で言及した需要計画情報と同じである。
【００３４】
エネルギー供給システム１０２内の運転計画作成機能３０１は、需要管理装置１０１より取得したエネルギー需要システム１０３の需要計画情報を元に、熱源設備１０７や電源設備１０６の運転計画情報を作成する。エネルギー需要システム１０３内の運転計画作成機能３０１は、空調機器や工場のラインなどの需要設備１０８の運転計画情報を作成する。
【００３５】
需要計画作成機能３０２は、運転計画作成機能３０１が作成した運転計画情報と、予め記憶装置２１５に格納されている設備稼働特性情報とを元に、運転計画情報通りに機器が動作した場合の需要計画情報を作成する。設備稼働特性情報は、各種設備が稼働することにより消費するエネルギーに関する情報である。例えば、運転計画情報に設備Ｐが９：００から１０：００までの時刻に動作するという情報が含まれ、設備Ｐの設備稼働特性情報に動作時の消費エネルギー量が１０ｋＷｈという情報が含まれた場合、９：００の時刻における需要計画情報は１０ｋＷｈとなる。
【００３６】
以下、エネルギー需給連携システム１００が需要を調整する処理である需要調整処理について説明する。
【００３７】
図４は、需要調整処理の具体例を示すシーケンス図である。
【００３８】
エネルギー需給連携システム１００では、この図に示す一連の処理を所定の時間間隔で実施し、各サブシステムの運転計画情報、需要計画情報を作成する。所定の時間間隔は例えば、数時間や１日などである。この具体例において、サブシステムは、エネルギー供給システム１０２であるエネルギー供給システムｘと、エネルギー需要システム１０３であるエネルギー需要システムａ及びエネルギー需要システムｂとである。このシーケンスは、需要管理装置１０１と、エネルギー供給システムｘと、エネルギー需要システムａと、エネルギー需要システムｂとの動作を示す。
【００３９】
処理Ｓ４１１及びＳ４１２においてそれぞれエネルギー需要システムａ、ｂは、需要計画情報を作成し、需要管理装置１０１へ送信する。処理Ｓ４２１において需要管理装置１０１の需要計画収集機能２０３は、エネルギー需要システムａ、ｂから需要計画情報を収集し、需要計画情報内の需要量の合計値である総需要量を算出し、総需要計画情報を生成し、記憶装置２０５へ保存する。
【００４０】
次に、処理Ｓ４２２において需要計画収集機能２０３は、総需要計画情報を生成後、エネルギー供給システムｘへ配信する。処理Ｓ４２３においてエネルギー供給システムｘの運転計画作成機能３０１は、受信した総需要計画情報を元に熱源設備１０７や電源設備１０６の運転計画情報を作成する。その後、処理Ｓ４２４において需要計画作成機能３０２は、受信した総需要計画情報を元に熱源設備１０７や電源設備１０６の需要計画情報を作成する。ここで、運転計画作成機能３０１は、例えば、需要管理装置１０１より受信した需要計画情報を満たしかつ熱源設備１０７や電源設備１０６の運転コストが最小となるような目的関数の下で最適な運転計画を作成する。目的関数はこの他、ＣＯ２排出量や１次エネルギー消費量やエネルギー利用効率などであっても良い。需要計画作成機能３０２は、作成した運転計画情報から、熱源設備１０７及び電源設備１０６に関する設備稼働特性情報を基に、需要計画情報を作成する。その後、処理Ｓ４２５において需要計画作成機能３０２は、需要計画情報を需要管理装置１０１へ送信する。
【００４１】
処理Ｓ４４１において需要管理装置１０１の需要計画収集機能２０３は、エネルギー供給システムｘ、エネルギー需要システムａ、ｂから収集した需要計画情報から、総需要計画情報を作成し記憶装置２０５へ保存する。処理Ｓ４４２において需要調整要求機能２０４は、総需要計画情報における総需要量が目標エネルギー量情報２０６における目標エネルギー量を超過する時刻が存在するかを判定する。以後、対象時刻のうち、総需要量が目標エネルギー量を超過する時刻を超過時刻と呼び、それ以外の時刻を非超過時刻と呼ぶ。超過時刻が存在すると判定された場合、需要調整要求機能２０４は、優先度に基づいて需要調整を依頼するエネルギー需要システムａを対象需要サブシステムとして選択する。処理Ｓ４４３において需要調整要求機能２０４は、エネルギー需要システムａに対し需要調整を依頼する。ここで、需要調整要求機能２０４は、非超過時刻毎に対象需要サブシステムにより消費可能なエネルギー量の上限量を含む需要調整依頼情報を送信する。これにより、対象需要サブシステムは、非超過時刻の需要量が上限量を超えないことを条件として、超過時刻の需要量の一部を非超過時刻の需要量へ移動させることができる。更に需要調整依頼情報は、超過時刻における対象需要サブシステムにより消費可能なエネルギー量の上限量を含んでも良い。超過時刻の上限量は例えば、調整前の需要計画情報における超過時刻の需要量である。これにより、対象需要サブシステムは調整前の需要計画情報に比べて超過時刻の需要量を削減することができる。更に需要調整依頼情報は、超過時刻における対象需要サブシステムにより消費可能なエネルギー量の下限量を含んでも良い。これにより、対象需要サブシステムが必要以上に超過時刻の需要量を削減することを防ぎ、対象需要サブシステムの過度の負担を防ぐことができる。
【００４２】
処理Ｓ４４４において需要調整依頼情報を受信したエネルギー需要システムａの運転計画管理装置１０４の需要計画作成機能３０２は、需要調整依頼情報を元に需要計画情報を再作成する。再作成をする際、需要計画作成機能３０２は、各時刻における需要量が上限量以下になるように需要計画情報を作成する。需要計画作成機能３０２は、需要調整依頼情報が超過時刻における上限量と下限量で示された範囲を含む場合、超過時刻における需要量がその範囲内で可能な限り小さくなるように需要計画情報を作成する。処理Ｓ４４５において需要計画作成機能３０２は、作成された需要計画情報を需要管理装置１０１へ送信する。
【００４３】
処理Ｓ４５１において需要管理装置１０１の需要計画収集機能２０３は、エネルギー需要システムａより受信した需要計画情報を用いて総需要計画情報を更新する。処理Ｓ４５２において需要調整要求機能２０４は、総需要量が目標エネルギー量を超過する時刻があるかを判定する。超過する時刻があると判定された場合、需要調整要求機能２０４は、優先度に基づいて、需要調整を依頼するエネルギー需要システムｂを選択する。処理Ｓ４５３において需要調整要求機能２０４は、選択されたエネルギー需要システムｂへ需要調整を依頼する。処理Ｓ４５４において依頼を受けたエネルギー需要システムｂの運転計画管理装置１０４の需要計画作成機能３０２は、需要調整依頼情報を元に需要計画情報を再作成する。その後、処理Ｓ４５５において需要計画作成機能３０２は、需要管理装置１０１へ送信する。
【００４４】
処理Ｓ４６１において需要管理装置１０１の需要計画収集機能２０３は、エネルギー需要システムｂより受信した需要計画情報を用いて総需要計画情報を更新する。処理Ｓ４６２において需要調整要求機能２０４は、総需要量が目標エネルギー量を超過する時刻があるかを判定する。超過時刻があると判定された場合、処理Ｓ４６３、Ｓ４６４、及びＳ４６５において需要調整要求機能２０４は、計画確定を全てのサブシステムｘ、ａ、ｂへ通知し、このシーケンスを終了する。
【００４５】
以上のシーケンスによれば、需要管理装置１０１が、対象需要サブシステムを選択し、対象需要サブシステムへ需要調整を依頼することにより、各時刻の総需要量を目標エネルギー以下にすることができる。また、優先度が低い需要サブシステムを優先して需要調整を割り当てることができる。また、需要サブシステムの総需要計画情報を供給サブシステムへ送信することにより、供給サブシステムに需要計画情報を作成させ、供給サブシステムに需要計画情報を含む総需要計画情報を作成することができる。
【００４６】
なお、エネルギー需要システムａ、ｂは、複数のエネルギーを用いる場合、エネルギー毎の需要計画情報を作成する。エネルギー供給システムｘは、複数のエネルギーを用いる場合、エネルギー毎の運転計画情報と、エネルギー毎の需要計画情報とを作成する。需要管理装置１０１は、エネルギー毎の目標エネルギー量を記憶し、エネルギー毎の総需要量を算出する。
【００４７】
図５は、需要調整処理を示すフローチャートである。
【００４８】
処理Ｓ５０１：需要調整要求機能２０４は、複数の対象時刻の中に、総需要量が目標エネルギー量を超過する時刻があるかを判定する。超過時刻がないと判定された場合、需要調整要求機能２０４は、処理を終了する。超過時刻があると判定された場合、需要調整要求機能２０４は、処理Ｓ５０２へ移る。以下、複数の対象時刻のうち、超過時刻の集合をＴｏｖｅｒと呼び、非超過時刻の集合をＴｏｋと呼ぶ。
【００４９】
処理Ｓ５０２：需要調整要求機能２０４は、優先度情報２０７に基づいて、未だ需要調整をしていないエネルギー需要システム１０３のうち、優先度の最も低いエネルギー需要システム１０３を対象需要サブシステムとして選択し、対象需要サブシステムへの需要調整依頼情報を作成し、対象需要サブシステムへ送信する。需要調整依頼情報は、対象の複数の時刻の夫々における対象需要サブシステムの需要量の上限量を含む。ここでの需要調整依頼情報は更に、Ｔｏｖｅｒにおける対象需要サブシステムの需要量の下限量を含む。
【００５０】
Ｔｏｋに含まれる時刻における上限量は次式により算出される。
【００５１】
【数１】
2015203879.tif 000003
【００５２】
Ｔｏｖｅｒに含まれる時刻における下限量は次式により算出される。
【００５３】
【数２】
2015203879.tif 000004
【００５４】
Ｔｏｖｅｒに含まれる時刻における上限量は次式により算出される。
【００５５】
【数３】
2015203879.tif 000005
【００５６】
式（１）、（２）、（３）において、ｔは時刻を示し、ｋは対象需要サブシステムの識別子であると共に優先度を示す。Ｌｕｋ（ｔ）は、時刻ｔにおける対象需要サブシステムｋの需要量の上限量を示す。Ｌｌｋ（ｔ）は、時刻ｔにおける対象需要サブシステムｋの需要量の下限量を示す。Ｍａｘ（ｔ）は、時刻ｔにおける目標エネルギー量を示す。Ｄ１ｉ（ｔ）は、時刻ｔにおける調整済みの需要サブシステムｉの需要量を示す。Ｄｊ（ｔ）は、時刻ｔにおける未調整の需要サブシステムｉの需要量を示す。Ｃは、需要計画情報が調整済みである需要サブシステムの集合を示す。Ｎは、需要計画情報が未調整である需要サブシステムの集合を示す。
【００５７】
処理Ｓ５０２により、需要調整要求機能２０４が、優先度が低い需要サブシステムから順に需要調整を依頼する。これにより、例えば、優先度の低い、それほど重要でない需要サブシステムほど、需要の調整を実施する確率が高くなり、優先度の高い、重要な需要サブシステムほど、需要の調整を実施する確率が低くなる。需要調整要求機能２０４は、需要調整依頼情報を作成後、対象需要サブシステムに対し需要調整依頼情報を送信し、処理Ｓ５０３へ移る。
【００５８】
処理Ｓ５０３：需要計画収集機能２０３は、処理Ｓ５０２にて需要調整依頼を打診した対象需要サブシステムから調整結果の需要計画情報を受信後、処理Ｓ５０４へ移る。
【００５９】
処理Ｓ５０４：需要計画収集機能２０３は、受信した需要計画情報を用い、エネルギー需給連携システム１００の総需要計画情報を更新し、需要調整要求機能２０４は、処理Ｓ５０１で判定されたＴｏｋの夫々の時刻について、総需要量が目標エネルギー量を超過していないかを再判定する。ここで、需要調整要求機能２０４は、次式を用いて超過を判定する。
【００６０】
【数４】
2015203879.tif 000006
【００６１】
超過している時刻がないと判定された場合、需要調整要求機能２０４は、処理Ｓ５０６へ移る。超過している時刻があると判定された場合、需要調整要求機能２０４は、処理Ｓ５０５へ移る。以下、Ｓ５０４で総需要量が目標エネルギー量を超過していると判定された時刻を新規超過時刻と呼び、新規超過時刻の集合をＴｏｖｅｒ１と呼ぶ。
【００６２】
処理Ｓ５０５：需要調整要求機能２０４は、処理Ｓ５０２で選択された対象需要サブシステムより優先度が低く、且つＴｏｖｅｒ１における超過原因となっている需要サブシステムを新たな対象需要サブシステムとして選択し、その新たな対象需要サブシステムに対して需要調整依頼情報を送信する。Ｔｏｖｅｒ１における超過原因となっている需要サブシステムは、次の二つの式の両方を満たす需要サブシステムである。
【００６３】
【数５】
2015203879.tif 000007
【数６】
2015203879.tif 000008
【００６４】
ここで、需要調整要求機能２０４は、処理Ｓ５０１により抽出されたＴｏｖｅｒを用いて需要調整依頼情報を算出する。更に需要調整要求機能２０４は、需要調整依頼情報のうち、Ｔｏｋに含まれる時刻の上限量を式（１）により算出し、Ｔｏｖｅｒに含まれる時刻の下限量を式（２）により算出し、Ｔｏｖｅｒに含まれる時刻の上限量を式（３）により算出する。
【００６５】
この処理Ｓ５０５により、需要サブシステムがＴｏｖｅｒの中の時刻の需要を他の時刻に移動させる際、優先度の高い需要サブシステムほど移動先の時刻の選択肢が多くなり調整の自由度が高く、優先度の低いシステムほど移動先の時刻の選択肢が狭まり調整の自由度が低くなる。
【００６６】
処理Ｓ５０６：需要調整要求機能２０４は、Ｔｏｖｅｒの中の時刻について、処理Ｓ５０４で更新された総需要量が目標エネルギー量以下かどうか判定する。ここで需要調整要求機能２０４は、次式の条件を満たす場合に総需要量が目標エネルギー量を超過していると判定する。超過していると判定された場合、需要調整要求機能２０４は、処理Ｓ５０２へ戻る。超過していないと判定された場合、処理を終了する。
【００６７】
【数７】
2015203879.tif 000009
【００６８】
処理Ｓ５０２及びＳ５０５により、優先度が高い需要サブシステムほど、需要を調整する確率を減らすと共に、需要を他の時刻へ移動させる際には、移動先の時刻の選択肢を多くして調整の自由度を高くすることができる。これにより、優先度が高い需要サブシステムは、それより優先度の低い需要サブシステムに比べ、需要調整の負担を削減することができる。
【００６９】
以下、需要調整処理の具体例について説明する。
【００７０】
ここで、需要調整処理のうち、処理Ｓ５０２及びＳ５０３を需要調整依頼処理と呼ぶ。即ち、需要調整依頼処理は、需要管理装置１０１が対象需要サブシステムを決定し、需要調整依頼情報を対象需要サブシステムへ送信し、対象需要サブシステムが需要を調整して調整結果を需要管理装置１０１へ送信する処理である。
【００７１】
ここでは、需要サブシステムが、生産システムＡ、生産システムＢ、実験システムであるとする。また、供給サブシステムがない、又は供給サブシステムの需要量がないとする。供給サブシステムがある場合、総需要量は、供給サブシステムの需要量を含む。なお、目標エネルギー量は、全てのサブシステムが利用可能なエネルギー量から、供給サブシステムが利用可能なエネルギー量を減じた値であっても良い。総需要量は、全てのサブシステムの需要量の合計から、供給サブシステムの需要量を減じた値でも良い。また、生産システムＡの優先度が最も高く、次いで生産システムＢの優先度であり、実験システムの優先度が最も低い。
【００７２】
図６は、需要調整処理の具体例における第一の需要調整依頼処理を示す。
【００７３】
ここでは、需要管理装置１０１は、各サブシステムから受信した需要計画情報に基づいて総需要計画情報を作成する。図中の（ａ）は、総需要計画情報であり、複数の対象時刻ｔ１、ｔ２、ｔ３、ｔ４、ｔ５の中の各時刻に対し、各サブシステムの需要量とその合計とを示す。Ｅｔは、目標エネルギー量を示す。
【００７４】
処理Ｓ５０１において需要管理装置１０１は、時刻ｔ４の総需要量が目標エネルギー量を超過していると判定する。処理Ｓ５０２において需要管理装置１０１は、最も低い優先度を有する実験システムを対象需要サブシステムとして選択し、対象需要サブシステムに対する需要調整依頼情報を作成し、需要調整依頼情報を対象需要サブシステムへ送信する。図中の（ｂ）は、対象需要サブシステムに対する需要調整依頼情報であり、時刻ｔ１、ｔ２、ｔ３、ｔ４、ｔ５に夫々対応する需要量の上限量Ｄｕ１、Ｄｕ２、Ｄｕ３、Ｄｕ４、Ｄｕ５と、時刻ｔ４における需要量の下限量Ｄｌ４とを含む。ここで、需要調整依頼情報（ｂ）は、対象需要サブシステムに対し、超過時刻ｔ４における需要量Ｄｕ４を下限量Ｄｌ４から上限量Ｄｕ４までの範囲に削減することを依頼すると共に、非超過時刻ｔ１、ｔ２、ｔ３、ｔ５に夫々対応する需要量を上限量Ｄｕ１、Ｄｕ２、Ｄｕ３、Ｄｕ５以下に抑えることを依頼する。
【００７５】
図中の（ｃ）は、対象需要サブシステムに記憶されている調整前の需要計画情報であり、各時刻における対象需要サブシステムの需要量を示す。対象需要サブシステムは、需要管理装置１０１からの需要調整依頼情報（ｂ）に基づいて需要計画情報（ｃ）を調整して新たな需要計画情報（ｄ）を作成して需要管理装置１０１へ送信する。図中の（ｄ）は、調整後の需要計画情報であり、各時刻における対象需要サブシステムの需要量を示す。調整後の需要計画情報（ｄ）によれば、対象需要サブシステムは、超過時刻ｔ４における需要量の一部を移動量として、非超過時刻ｔ５へ移動させる。ここで、対象需要サブシステムは、移動量が、超過時刻における需要量から上限量を減じた値以上で、且つ超過時刻における需要量から下限量を減じた値以下で、且つ移動先の非超過時刻の上限量から移動先の非超過時刻の需要量を減じた値以下になるように、移動先の非超過時刻と移動量とを決定する。調整前の需要計画情報（ｃ）と比較すると、調整後の需要計画情報（ｄ）は、時刻ｔ４における需要量の一部が時刻ｔ５へシフトされ、時刻ｔ４における需要量が削減されることを示す。
【００７６】
処理Ｓ５０３において需要管理装置１０１は、調整後の需要計画情報（ｄ）に基づいて総需要計画情報を更新する。図中の（ｅ）は、更新後の総需要計画情報である。更新前の総需要計画情報（ａ）と比較すると、更新後の総需要計画情報（ｅ）では、時刻ｔ４において、目標エネルギー量に対する総需要量の超過量が減少している。
【００７７】
図７は、需要調整処理の具体例における第二の需要調整依頼処理を示す。
【００７８】
第一の需要調整依頼処理後、処理Ｓ５０４において、非超過時刻ｔ１、ｔ２、ｔ３、ｔ５における総需要量が目標エネルギー量を超過していないと判定され、処理Ｓ５０６において、未だ超過時刻ｔ４における総需要量が目標エネルギー量を超過していると判定されるため、需要管理装置１０１は、処理Ｓ５０２において第二の需要調整依頼処理を行う。
【００７９】
図中の（ｅ）は、第一の需要調整依頼処理における調整後の総需要計画情報（ｅ）と同一である。処理Ｓ５０２において需要管理装置１０１は、対象需要サブシステムの次に優先度が高い需要サブシステムである生産システムＢを新たな対象需要サブシステムとして選択する。その後、需要管理装置１０１は、対象需要サブシステムに対する需要調整依頼情報を作成し、需要調整依頼情報を対象需要サブシステムへ送信する。図中の（ｆ）は、対象需要サブシステムに対する需要調整依頼情報であり、時刻ｔ１、ｔ２、ｔ３、ｔ４、ｔ５に夫々対応する需要量の上限量Ｄｕ１、Ｄｕ２、Ｄｕ３、Ｄｕ４、Ｄｕ５と、時刻ｔ４における需要量の下限量Ｄｌ４とを含む。ここで、需要調整依頼情報（ｆ）は、対象需要サブシステムに対し、超過時刻ｔ４における需要量Ｄｕ４を下限量Ｄｌ４から上限量Ｄｕ４までの範囲に削減することを依頼すると共に、非超過時刻ｔ１、ｔ２、ｔ３、ｔ５に夫々対応する需要量を上限量Ｄｕ１、Ｄｕ２、Ｄｕ３、Ｄｕ５以下に抑えることを依頼する。
【００８０】
図中の（ｇ）は、対象需要サブシステムに記憶されている調整前の需要計画情報である。対象需要サブシステムは、需要管理装置１０１からの需要調整依頼情報（ｆ）に基づいて需要計画情報（ｇ）を調整して新たな需要計画情報（ｈ）を作成して需要管理装置１０１へ送信する。図中の（ｈ）は、調整後の需要計画情報である。調整後の需要計画情報（ｈ）によれば、対象需要サブシステムは、超過時刻ｔ４における需要量の一部を移動量として、非超過時刻ｔ５へ移動させる。
【００８１】
処理Ｓ５０３において需要管理装置１０１は、調整後の需要計画情報（ｈ）に基づいて総需要計画情報を更新する。図中の（ｉ）は、更新後の総需要計画情報である。更新前の総需要計画情報（ｅ）と比較すると、更新後の総需要計画情報（ｉ）では、時刻ｔ４において、目標エネルギー量に対する総需要量の超過量が減少している。一方、時刻ｔ５において、総需要量が目標エネルギー量を超過している。
【００８２】
図８は、需要調整処理の具体例における第三の需要調整依頼処理を示す。
【００８３】
第二の需要調整依頼処理後、処理Ｓ５０４において、非超過時刻ｔ５における総需要量が目標エネルギー量を超過していると判定されるため、需要管理装置１０１は、処理Ｓ５０５において第三の需要調整依頼処理を行う。
【００８４】
図中の（ｉ）は、第二の需要調整依頼処理における調整後の総需要計画情報（ｉ）と同一である。処理Ｓ５０５において需要管理装置１０１は、対象需要サブシステムより優先度が低く、且つ超過原因となっている需要サブシステムである実験システムを新たな対象需要サブシステムとして選択する。その後、需要管理装置１０１は、対象需要サブシステムに対する需要調整依頼情報を作成し、需要調整依頼情報を対象需要サブシステムへ送信する。図中の（ｊ）は、対象需要サブシステムに対する需要調整依頼情報であり、時刻ｔ１、ｔ２、ｔ３、ｔ４、ｔ５に夫々対応する需要量の上限量Ｄｕ１、Ｄｕ２、Ｄｕ３、Ｄｕ４、Ｄｕ５と、時刻ｔ４における需要量の下限量Ｄｌ４とを含む。ここで、需要調整依頼情報（ｊ）は、対象需要サブシステムに対し、超過時刻ｔ４における需要量Ｄｕ４を下限量Ｄｌ４から上限量Ｄｕ４までの範囲に削減することを依頼すると共に、非超過時刻ｔ１、ｔ２、ｔ３、ｔ５に夫々対応する需要量を上限量Ｄｕ１、Ｄｕ２、Ｄｕ３、Ｄｕ５以下に抑えることを依頼する。
【００８５】
図中の（ｋ）は、対象需要サブシステムに記憶されている第一の需要調整依頼処理前の需要計画情報であり、第一の需要調整依頼処理における需要計画情報（ｃ）と同一である。対象需要サブシステムは、需要管理装置１０１からの需要調整依頼情報（ｊ）に基づいて需要計画情報（ｋ）を調整して新たな需要計画情報（ｌ）を作成して需要管理装置１０１へ送信する。図中の（ｌ）は、調整後の需要計画情報である。調整後の需要計画情報（ｌ）によれば、対象需要サブシステムは、以前の調整を取り消し、超過時刻ｔ４における需要量の一部を移動量として、非超過時刻ｔ１へ移動させる。
【００８６】
処理Ｓ５０３において需要管理装置１０１は、調整後の需要計画情報（ｌ）に基づいて総需要計画情報を更新する。図中の（ｍ）は、更新後の総需要計画情報である。更新前の総需要計画情報（ｉ）と比較すると、更新後の総需要計画情報（ｍ）では、時刻ｔ５において、目標エネルギー量に対する総需要量の超過が解消している。更に、全ての対象時刻において、総需要量は、目標エネルギー量を超過していない。
【００８７】
この具体例によれば、第一の需要調整依頼処理において、優先度が最も低い実験システムによる需要の移動で超過が解消しない場合、第二の需要調整依頼処理において、実験システムより優先度が高い生産システムＢによる需要の移動を優先し、第三の需要調整依頼処理において、残りの超過分を実験システムによる需要の移動に割り当てることができる。これにより、複数の需要サブシステムの中で優先度が低い需要サブシステムを優先して需要の調整を割り当てることができると共に、調整する需要サブシステムの中で優先度が高い需要サブシステムを優先して需要の調整を行うことができる。
【００８８】
また、複数の制御装置の間で情報を送受信するシステムに比べて、運転計画管理装置１０４の通信量を低減することができるため、内部ネットワーク１２０の負荷を抑えることができる。
【実施例２】
【００８９】
本実施例では、センタサーバを用いるエネルギー需給連携システムについて説明する。
【００９０】
図９は、実施例２のセンタサーバとエネルギー需給連携システムの構成を示す。
【００９１】
複数のエネルギー需給連携システム１００ｂが、センタサーバ１１０ｂに接続されている。センタサーバ１１０ｂは、データセンタ等の施設であっても良い。実施例１と比較すると、エネルギー需給連携システム１００における需要管理装置１０１と複数の運転計画管理装置１０４は、エネルギー需給連携システム１００ｂから省かれ、センタサーバ１１０ｂに設けられている。需要管理装置１０１と複数の運転計画管理装置１０４は、センタサーバ１１０ｂ内のセンタ通信ネットワーク１２２を介して互いに接続されている。センタ通信ネットワーク１２２は、ルータ等を介して外部通信ネットワーク１２１に接続されている。センタサーバ１１０ｂは、外部通信ネットワーク１２１を介して、各サブシステム内の設備制御装置１０５に接続されている。需要管理装置１０１と複数の運転計画管理装置１０４の動作は、実施例１と同様である。
【００９２】
センタサーバ１１０ｂは、複数のエネルギー需給連携システム１００ｂに接続されても良い。この場合、センタサーバ１１０ｂが、需要管理装置１０１及び運転計画管理装置１０４の機能を、複数のエネルギー需給連携システム１００ｂに提供する。これにより、夫々のエネルギー需給連携システム１００ｂは、需要管理装置１０１及び運転計画管理装置１０４を含まず、複数のエネルギー需給連携システム１００ｂに対する需要管理装置１０１及び運転計画管理装置１０４を集約できるため、実施例１に比べて、エネルギー需給連携システムの導入や維持のコストを低減することができる。
【００９３】
複数の需要家のエネルギー需給連携システム１００ｂに対し、クラウドサービス等としてセンタサーバ１１０ｂを提供する場合、複数の制御装置の間で情報を送受信するシステムに比べて、運転計画管理装置１０４の通信量を低減することができるため、センタサーバ１１０ｂの負荷を抑えることができる。
【実施例３】
【００９４】
本実施例では、センタサーバを用いるエネルギー需給連携システムの別の例について説明する。
【００９５】
図１０は、実施例３のセンタサーバとエネルギー需給連携システムの構成を示す。
【００９６】
複数のエネルギー需給連携システム１００ｃが、センタサーバ１１０ｃに接続されている。実施例１と比較すると、エネルギー需給連携システム１００における需要管理装置１０１は、エネルギー需給連携システム１００ｃから省かれ、センタサーバ１１０ｃに設けられている。需要管理装置１０１は、外部通信ネットワーク１２１を介して、各サブシステム内の運転計画管理装置１０４に接続されている。需要管理装置１０１と複数の運転計画管理装置１０４の動作は、実施例１と同様である。
【００９７】
センタサーバ１１０ｃは、複数のエネルギー需給連携システム１００ｃに接続されても良い。この場合、センタサーバ１１０ｃが、需要管理装置１０１の機能を、複数のエネルギー需給連携システム１００ｃに提供する。これにより、夫々のエネルギー需給連携システム１００ｃは、需要管理装置１０１を含まず、複数のエネルギー需給連携システム１００ｃに対する需要管理装置１０１を集約できるため、実施例１に比べて、エネルギー需給連携システムの導入や維持のコストを低減することができる。
【００９８】
複数の需要家のエネルギー需給連携システム１００ｃに対し、クラウドサービス等としてセンタサーバ１１０ｃを提供する場合、複数の制御装置の間で情報を送受信するシステムに比べて、運転計画管理装置１０４の通信量を低減することができるため、センタサーバ１１０ｃ及び内部ネットワーク１２０の負荷を抑えることができる。
【００９９】
以上の各実施例によれば、需要予測、運転計画立案、需要調整などの各種機能を、各サブシステムへ分散配置することにより、各装置の負荷を抑えることができると共に、各通信ネットワークを流れる情報量を抑えることができる。
【０１００】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid  State  Drive）等の記録装置、または、ＩＣ（Integrated  Circuit）カード、フラッシュメモリ、光ディスク等の記録媒体に置くことができる。
【０１０１】
本発明の表現のための用語について説明する。需要管理装置は、需要管理装置１０１等に対応する。需要システムは、エネルギー需要システム１０３やエネルギー供給システム１０２やサブシステム等に対応する。記憶部は、記憶装置２０５等に対応する。制御部は、制御部２００等に対応する。計画情報は、需要計画情報等に対応する。目標総需要量は、目標エネルギー量等に対応する。依頼情報は、需要調整依頼情報等に対応する。複数の時刻は、複数の対象時刻等に対応する。対象需要システムは、対象需要サブシステム等に対応する。通信ネットワークは、外部通信ネットワーク１２１等に対応する。需要管理システムは、エネルギー需給連携システム１００、或いはセンタサーバ１１０ｂ及びエネルギー需給連携システム１００ｂ、或いはセンタサーバ１１０ｃ及びエネルギー需給連携システム１００ｃ等に対応する。
【符号の説明】
【０１０２】
１００、１００ｂ、１００ｃ…エネルギー需給連携システム  １０１…需要管理装置  １０２…エネルギー供給システム  １０３…エネルギー需要システム  １０４…運転計画管理装置  １０５…設備制御装置  １０６…電源設備  １０７…熱源設備  １０８…需要設備  １０９…外部システム  １１０、１１０ｂ、１１０ｃ…センタサーバ  ２００…制御部  ２０１…入出力機能  ２０２…通信機能  ２０３…需要計画収集機能  ２０４…需要調整要求機能  ２０５…記憶装置  ２０６…目標エネルギー量情報  ２０７…需要調整優先度情報  ２０８…サブシステム需要計画情報  ２０９…総需要計画情報  ２１０…制御部  ２１１…入出力機能  ２１２…通信機能  ２１５…記憶装置  ３０１…運転計画作成機能  ３０２…需要計画作成機能  ３０３…需要計画情報
【図１】
2015203879.tif 000010
【図２】
2015203879.tif 000011
【図３】
2015203879.tif 000012
【図４】
2015203879.tif 000013
【図５】
2015203879.tif 000014
【図６】
2015203879.tif 000015
【図７】
2015203879.tif 000016
【図８】
2015203879.tif 000017
【図９】
2015203879.tif 000018
【図１０】
2015203879.tif 000019